(57)【要約】【課題】  送風装置本体に取り付けられる部材を取り付ける過程において、作業者に急激な力の変化を与えることを防止する。【解決手段】  一の部材２に備えられ、一の部材２を他の部材１０の所定の位置に取り付けるため他の部材１０に備えられた係合部１１に係合させる取付具２０であって、弾性力を発生させるばね部２３と、ばね部２３の一端から延伸し、係合部１１の第一部分１１１を摺動する第一摺動部２１と、ばね部２３の他端から延伸し、係合部１１の第二部分１１２を摺動する第二摺動部２２と、を備え、第一摺動部２１と第二摺動部２２の形状が異なる取付具を提供する。【選択図】  図２
2014152783.tif 000002
【特許請求の範囲】
【請求項１】
一の部材に備えられ、前記一の部材を他の部材の所定の位置に取り付けるため前記他の部材に備えられた係合部に係合させる取付具であって、
弾性力を発生させるばね部と、
前記ばね部の一端から延伸し、前記係合部の第一部分を摺動する第一摺動部と、
前記ばね部の他端から延伸し、前記係合部の第二部分を摺動する第二摺動部と、
を備え、
前記第一摺動部と前記第二摺動部の形状が異なる取付具。
【請求項２】
前記第一摺動部は、
前記ばね部の一端から延伸する第一腕部と、
前記第一腕部からさらに延伸し、前記第一腕部との接続部分で第二摺動部に接近する方へ屈曲または湾曲する第一手部と、
を有し、
前記第二摺動部は、
前記ばね部の他端から延伸する第二腕部と、
前記第二腕部からさらに延伸し、前記第二腕部との接続部分で第一摺動部に接近する方へ屈曲または湾曲する第二手部と、
を有し、
前記第一腕部と前記第二腕部の長さが相違することを特徴とする請求項１に記載の取付具。
【請求項３】
前記第一腕部と前記第二手部の長さが略同一であり、
前記第二腕部と前記第一手部の長さが略同一であることを特徴とする請求項２に記載の取付具。
【請求項４】
一の部材と他の部材を取り付ける取付構造であって、
前記一の部材に備えられた、請求項２または３に記載の取付具と、
前記他の部材に備えられた前記係合部と、
を備え、
前記第一手部が前記係合部の前記第一部分と係合し、かつ前記第二腕部が前記係合部の前記第二部分と係合している時、前記第一手部と前記第二腕部とが略平行であることを特徴とする取付構造。
【請求項５】
一の部材と他の部材を取り付ける取付構造であって、
前記一の部材に備えられた、請求項２または３に記載の取付具と、
前記他の部材に備えられた前記係合部と、
を備え、
前記第一腕部の長さは前記第二腕部の長さより短く、
前記ばね部と前記第一部分との距離は、前記ばね部と前記第二部分との距離より長いことを特徴とする取付構造。
【請求項６】
前記第一摺動部は、
前記ばね部の一端から延伸する第一腕部と、
前記第一腕部からさらに延伸し、前記第一腕部との接続部分で第二摺動部に接近する方へ屈曲または湾曲する第一手部と、
を有し、
前記第二摺動部は直線状であることを特徴とする請求項１に記載の取付具。
【請求項７】
一の部材と他の部材を取り付ける取付構造であって、
前記一の部材に備えられた、請求項６に記載の取付具と、
前記他の部材に備えられた前記係合部と、
を備え、
前記第一手部が前記係合部の前記第一部分と係合し、かつ前記第二摺動部が前記係合部の前記第二部分と係合している時、前記第一手部と前記第二摺動部とが略平行であることを特徴とする取付構造。
【請求項８】
請求項４、５、または７のいずれかに記載された取付構造が複数からなる取付構造であって、
前記複数の取付構造に含まれる、ある一対の取付構造において、
一の取付構造と他の取付構造が対向するように配置され、
前記一の取付構造における第一摺動部と前記他の取付構造における第一摺動部とが対向するように配置される取付構造。
【請求項９】
請求項１、２、３または６のいずれかに記載された取付具を備える送風装置。
【請求項１０】
請求項４、５、７または８のいずれかに記載された取付構造を備える送風装置。
【請求項１１】
一の部材と他の部材を取り付ける取付構造であって、
前記一の部材に備えられた取付具と、
前記他の部材に備えられた係合部と、
を備え、
前記取付具は、
弾性力を発生させるばね部と、
前記ばね部の一端から延伸し、前記係合部の第一部分を摺動する第一摺動部と、
前記ばね部の他端から延伸し、前記係合部の第二部分を摺動する第二摺動部と、
を備え、
前記第一摺動部は、
前記ばね部の一端から延伸する第一腕部と、
前記第一腕部からさらに延伸し、前記第一腕部との接続部分で第二摺動部に接近する方へ屈曲または湾曲する第一手部と、
を有し、
前記第二摺動部は、
前記ばね部の他端から延伸する第二腕部と、
前記第二腕部からさらに延伸し、前記第二腕部との接続部分で第一摺動部に接近する方へ屈曲または湾曲する第二手部と、
を有し、
前記第一腕部、前記第一手部、前記第二腕部、および前記第二手部の長さがすべて略等しく、
前記ばね部と前記第一部分との距離は、前記ばね部と前記第二部分との距離と等しくないことを特徴とする取付構造。
【発明の詳細な説明】
【技術分野】
【０００１】
本発明は、部材を装置本体に取り付ける取付具、取付構造およびその取付具、取付構造を備えた送風装置に関する。
【背景技術】
【０００２】
従来、天井に設けられる換気装置等の化粧板（屋内に露出する部分）の取付構造は、ねじ等の取付部が屋内に露出しないように、化粧板の裏面にねじりコイルばねを取り付けておき、装置本体に備えるばね係合部にねじりコイルばねを係合することが行われている。しかし、このような構造であると装置本体へと取り付ける際にねじりコイルばねを押し狭めてばね係合部に係合させる必要があり、その操作には大きな力が必要になることから作業性に優れていなかった。
【０００３】
これに対して、先行文献１ではねじりコイルばねにおける最終保持作用点部分から先端側を、基端側からその最終保持作用点部分までより内側に指向するように形成することで、取り付ける際に押し狭める力を小さくする取付構造が提案されている。
【先行技術文献】
【特許文献】
【０００４】
【特許文献１】実開昭６１−１５１１４６号公報
【発明の概要】
【発明が解決しようとする課題】
【０００５】
しかし、このような構造ではコイルばねを係合部に挿入していく過程で、コイルばねによって発生する力の方向が、挿入当初は挿入方向と逆向きであるのに対して、内側に折れ曲がった所から急激に反対の挿入方向へと変化してしまう。そうすると、作業者に急激な力の変化を与えてしまうことで、指を挟んでしまったり、化粧板が装置本体へと思いがけない勢いで衝突してしまったりなどの問題が生じていた。
【０００６】
そこで、本発明は、送風装置本体に取り付けられる部材を取り付ける過程において、作業者に急激な力の変化を与えることを防止する取付具、取付構造およびその取付具、取付構造を備えた送風装置を提供するものである。
【課題を解決するための手段】
【０００７】
上記課題を解決するために、一の部材に備えられ、その一の部材を他の部材の所定の位置に取り付けるため他の部材に備えられた係合部に係合させる取付具であって、弾性力を発生させるばね部と、そのばね部の一端から延伸し、係合部の第一部分を摺動する第一摺動部と、ばね部の他端から延伸し、係合部の第二部分を摺動する第二摺動部と、を備え、第一摺動部と第二摺動部の形状が異なる取付具が提供される。
これによれば、部材を装置本体に取り付ける過程において、作業者に急激な力の変化を与えることを防止する取付具を提供することができる。
【０００８】
さらに、第一摺動部は、ばね部の一端から延伸する第一腕部と、第一腕部からさらに延伸し、第一腕部との接続部分で第二摺動部に接近する方へ屈曲または湾曲する第一手部と、を有し、第二摺動部は、ばね部の他端から延伸する第二腕部と、第二腕部からさらに延伸し、第二腕部との接続部分で第一摺動部に接近する方へ屈曲または湾曲する第二手部と、を有し、第一腕部と第二腕部の長さが相違することを特徴としてもよい。また、第一腕部と第二手部の長さがほぼ同一であり、第二腕部と第一手部の長さがほぼ同一であることを特徴としてもよい。
これによれば、部材を装置本体に取り付ける過程において、作業者に力の急な変化を与えるポイントが２つに分散するため、作業者に急激な力の変化を与えることを防止する取付具を提供することができる。
【０００９】
また、上記課題を解決するために、一の部材と他の部材を取り付ける取付構造であって、その一の部材に備えられた上記の取付具と、他の部材に備えられた係合部と、を備え、第一手部が係合部の第一部分と係合し、かつ第二腕部が係合部の第二部分と係合している時、第一手部と第二腕部とがほぼ平行である取付構造が提供される。
これによれば、部材を装置本体に取り付ける過程において、作業者に力の急な変化を与えるポイントが２つに分散すると共に、その２つのポイントの間に作業者に力の変化を感じさせないようにすることで、作業者に急激な力の変化を与えることを防止する安定した取付構造を提供することができる。
【００１０】
また、上記課題を解決するために、一の部材と他の部材を取り付ける取付構造であって、一の部材に備えられた上記の取付具と、他の部材に備えられた係合部と、を備え、第一腕部の長さは第二腕部の長さより短く、ばね部と第一部分との距離は、ばね部と第二部分との距離より長い取付構造が提供される。
これによれば、長い方の腕が係合部の直下に近づくことで２つの力の変化ポイントの間の距離を長くすることができるため、短い時間で変化が繰り返されることが防げるので安定した取付作業が可能となる。
【００１１】
さらに、第一摺動部は、ばね部の一端から延伸する第一腕部と、第一腕部からさらに延伸し、第一腕部との接続部分で第二摺動部に接近する方へ屈曲または湾曲する第一手部と、を有し、第二摺動部は直線状であることを特徴としてもよい。
これによれば、部材を装置本体に取り付ける過程において、力の変化を小さくすることで、作業者に急激な力の変化を与えることを防止する取付具を提供することができる。
【００１２】
また、上記課題を解決するために、一の部材と他の部材を取り付ける取付構造であって、その一の部材に備えられた上記の取付具と、他の部材に備えられた係合部と、を備え、第一手部が係合部の第一部分と係合し、かつ第二摺動部が係合部の第二部分と係合している時、第一手部と第二摺動部とが略平行である取付構造が提供される。
これによれば、部材を装置本体に取り付ける過程において、力の変化を小さくすると共に、摺動部を係合させた時から力の変化が生じるまでの間に作業者に力の変化を感じさせないようにすることで、作業者に急激な力の変化を与えることを防止する安定した取付構造を提供することができる。
【００１３】
また、上記課題を解決するために、上記の取付構造が複数からなる取付構造であって、その複数の取付構造に含まれる、ある一対の取付構造において、一の取付構造と他の取付構造が対向するように配置され、一の取付構造における第一摺動部と他の取付構造における第一摺動部とが対向するように配置される取付構造が提供される。
これによれば、作業者は、バランス良く、部材を装置本体に取り付けることができる取付構造を提供することができる。
【００１４】
また、上記課題を解決するために、上記取付具または上記取付構造を備えた送風装置が提供される。
これによれば、部材を装置本体に取り付ける過程において、作業者に急激な力の変化を与えることを防止する取付具または取付構造を備える送風装置を提供することができる。
【００１５】
また、上記課題を解決するために、一の部材と他の部材を取り付ける取付構造であって、一の部材に備えられた取付具と、他の部材に備えられた係合部と、を備え、その取付具は、弾性力を発生させるばね部と、そのばね部の一端から延伸し、係合部の第一部分を摺動する第一摺動部と、ばね部の他端から延伸し、係合部の第二部分を摺動する第二摺動部と、を備え、第一摺動部は、ばね部の一端から延伸する第一腕部と、第一腕部からさらに延伸し、第一腕部との接続部分で第二摺動部に接近する方へ屈曲または湾曲する第一手部と、を有し、第二摺動部は、ばね部の他端から延伸する第二腕部と、第二腕部からさらに延伸し、第二腕部との接続部分で第一摺動部に接近する方へ屈曲または湾曲する第二手部と、を有し、第一腕部、第一手部、第二腕部、および第二手部の長さがすべてほぼ等しく、ばね部と第一部分との距離は、ばね部と第二部分との距離と等しくない取付構造が提供される。
これによれば、両摺動部の形状が同じであっても、係合部とばね部の位置関係により、部材を装置本体に取り付ける過程において、作業者に力の急な変化を与えるポイントを２つに分散することができる。
【発明の効果】
【００１６】
以上説明したように、本発明によれば、装置本体に取り付けられる部材を取り付ける過程において、作業者に急激な力の変化を与えることを防止する取付具、取付構造およびその取付具、取付構造を備えた装置を提供することができる。
【図面の簡単な説明】
【００１７】
【図１】本発明に係る第一実施例の送風装置の中央部分での断面図。
【図２】本発明に係る第一実施例の送風装置の端部での断面図。
【図３】本発明に係る第一実施例における、線材で作製された取付具の正面図（Ａ）、斜視図（Ｂ）、板材で作製された取付具の正面図（Ｃ）、斜視図（Ｄ）。
【図４】本発明に係る第一実施例の送風装置カバーを取り付ける工程を示す説明図。
【図５】本発明に係る第一実施例の取付構造における力の変化を示す説明図。
【図６】本発明に係る第一実施例の変形例の送風装置カバーを取り付ける工程を示す説明図。
【図７】本発明に係る第一実施例の変形例の取付構造における力の変化を示す説明図。
【図８】本発明に係る第二実施例の取付構造における力の変化を示す説明図。
【図９】従来の取付具と力の変化を示す説明図。
【発明を実施するための形態】
【００１８】
以下では、図面を参照しながら、本発明に係る各実施例について説明する。
＜第一実施例＞
図１を参照し、本発明にかかる取付具および取付構造が備えられる送風装置１について説明する。本図は、本実施例における送風装置１の中央部付近での断面図である。なお、後述する従来技術の説明においても、同じ送風装置として説明する。送風装置１は、送風装置本体１０と送風装置本体１０から着脱自在の送風装置カバー２を備える。送風装置本体１０は部屋の天井の裏に設置されるものであり、ほぼ全体が天井面Ｃより上に存在する。
【００１９】
送風装置本体１０は、ファンを内蔵するファンユニット１２と、ファンが発生させる空気の流れにより空気を下方から吸い込む吸込口１３と、吸込口１３から吸込んだ空気を排出する排出口１４と、送風装置カバー２を取り付けるための係合部（図示せず。後述する。）を備える。排出口１４の先は建物に備えられたダクトに繋げられ、吸込まれた空気は、そのダクトを通して空調設備や屋外に運ばれる。送風装置本体１０の下面は天井面Ｃに現われ、そこに送風装置カバー２が取り付けられるように構成されている。
【００２０】
送風装置カバー２は、天井下の部屋空間にある空気を吸い込むためのカバー吸込みスリット３と、取付具（図示せず。後述する。）を備える。送風装置カバー２は、空気を吸い込む機能と共に、部屋空間に対する送風装置本体１０の化粧面としての機能を有する。送風装置カバー２は、清掃時やメンテナンス時の時のために、送風装置本体１０に対して着脱自在に取り付けられる。
【００２１】
なお、本実施例の送風装置１は、居室、台所、お風呂場等に設置される換気扇、レンジフード、天井設置型空気清浄機、天井設置型エアコンなど、天井に埋め込まれるタイプの送風装置であるが、これに限定されることはなく、例えば、壁に埋め込まれるタイプ、大型の据え置きタイプの送風装置であっても本発明にかかる取付具および取付構造は適用できることは言うまでもない。即ち、本発明に係る取付具は、送風装置カバーなどの一の部材に備えられ、その一の部材を、送風装置本体などの他の部材の所定の位置に取り付けるため他の部材に備えられた係合部に係合させるものである。
【００２２】
まず、図９を参照し、上述した送風装置１と同じタイプの送風装置において、従来の取付具や取付構造がどのように機能するのかについて説明する。本図は、従来の取付具２０Ｚを備えた送風装置カバー２Ｚを送風装置本体１０Ｚに取り付ける過程において、コイルばね２３Ｚによって発生する力の方向と大きさがどのようになっているかを説明する図である。
【００２３】
取付具２０Ｚは、（Ｃ）に示すように、弾性力を発生させるコイル部２３Ｚと、コイル部２３Ｚの一端から延伸し、係合部１１Ｚの第一部分１１１Ｚを摺動する第一摺動部２１Ｚと、コイル部２３Ｚの他端から延伸し、係合部１１Ｚの第二部分１１２Ｚを摺動する第二摺動部２２Ｚとを備えるが、第一摺動部２１Ｚと第二摺動部２２Ｚの形状は同じじであり、コイル部２３Ｚを挟んで対称である。
【００２４】
より具体的には、第一摺動部２１Ｚは、コイル部２３Ｚの一端から延伸する第一腕部２１１Ｚと、第一腕部２１１Ｚからさらに延伸し、第一腕部２１１Ｚとの接続部分で第二摺動部２２Ｚに接近する方へ屈曲する第一手部２１２Ｚとを有し、第二摺動部２２Ｚは、コイル部２３Ｚの他端から延伸する第二腕部２２１Ｚと、第二腕部２２１Ｚからさらに延伸し、第二腕部２２１Ｚとの接続部分で第一摺動部２１Ｚに接近する方へ屈曲する第二手部２２２Ｚとを有し、第一腕部２１１Ｚと第二腕部２２１Ｚの長さが同じであり、第一手部２１２Ｚと第二手部２２２Ｚの長さが同じであり、また、第一腕部２１１Ｚと第一手部２１２Ｚが屈曲する角度と第二腕部２２１Ｚと第二手部２２２Ｚが屈曲する角度が同じである。
【００２５】
取付具２０Ｚは送風装置カバー２Ｚの送風装置本体１０Ｚ側（裏面）に備えられ、また、係合部１１Ｚは送風装置本体１０Ｚの送風装置カバー２Ｚが取り付けられる方に備えられる。係合部１１Ｚの上下位置は、送風装置カバー２Ｚが送風装置本体１０Ｚに取り付けられた際係合部１１Ｚとコイル部２３Ｚが近接した方が係合する力が強くなり、送風装置本体１０Ｚが送風装置カバー２Ｚを保持する力が大きくなるので、なるべく送風装置カバー２Ｚに近接した位置に備えられる方が好ましい。これは、本発明に係る取付構造においても、同じである。
【００２６】
送風装置カバー２Ｚを送風装置本体１０Ｚに取り付けようとする際、まず作業者は、通常取付具２０Ｚの第一摺動部２１Ｚと第二摺動部２２Ｚを手で挟むなどして、コイル部２３Ｚの弾性力に抗して第一端部２１３Ｚと第二端部２２３Ｚの距離を狭めて、スリットになっている係合部１１Ｚの第一部分１１１Ｚと第二部分１１２Ｚの間に挿入する。そして、挿入後、作業者は取付具２０Ｚから手を放す。そうすると、第一手部２１２Ｚと第二手部２２２Ｚはコイル部２３Ｚの弾性力により互いに外側へ広がろうとするので、第一手部２１２Ｚと第一部分１１１Ｚおよび第二手部２２２Ｚと第二部分１１２Ｚが係合することとなる。
【００２７】
次に作業者は、第一手部２１２Ｚと第一部分１１１Ｚおよび第二手部２２２Ｚと第二部分１１２Ｚが係合した状態で、送風装置カバー２Ｚを送風装置本体１０Ｚの方へ（矢印ＤＩの方へ）、さらに取付具２０Ｚを係合部１１Ｚへ押し込むように摺動させながら移動させる。この場合、第一手部２１２Ｚは第一部分１１１Ｚから、第二手部２２２Ｚは第二部分１１２Ｚから、コイル部２３Ｚからの付勢力である押し広げようとする力に対する反力を受ける。
【００２８】
両手部が両部分に係合している間（以下、手部区間と呼ぶ）両手部は互いに下に広がるハの字型をなしているので、この反力は、移動方向（矢印ＤＩ）とは逆の方向へ、換言すれば送風装置カバー２Ｚを下へ押し戻すように働く。従って、作業者は、ＤＩの方向へ送風装置カバー２Ｚを移動させて送風装置本体１０Ｚに取り付けようとすると、この反力に対抗するようにして移動させるための押す力が必要となる（本明細書では、第一手部などと第一部分などとから生ずる摩擦力および送風装置カバーに働く重力は無視することとする）。
【００２９】
両手部が両部分に係合する場所が両手部の端部（２１３Ｚ、２２３Ｚ）の方からコイル部２３Ｚの方へ摺動するにつれて、コイル部２３Ｚからの距離が小さくなることと、コイル部２３Ｚの変形量が大きくなることから、この反力は大きくなる。そうすると、作業者が押す力もだんだん大きくしていく必要がある。（Ａ）に示す手部区間はかかることを示している。
【００３０】
作業者が取付具２０Ｚをさらに押し込んでいくと、手部と腕部が接続された屈曲した部分に差し掛かる。取付具２０Ｚは、摺動部は同じ形状であり対称形なので、第一摺動部の屈曲部が係合部１１Ｚの第一部分１１１Ｚに差し掛かる時と、第二摺動部の屈曲部が第二部分１１２Ｚに差し掛かる時とが、同じである。従って、両手部が摺動を終え、両腕部が係合し摺動を開始する（以下、腕部区間と呼ぶ）ことが、第一摺動部２１Ｚと第二摺動部２２Ｚとで同時に起こる。
【００３１】
腕部区間では、両手部は互いに下に狭まる逆ハの字型をなしているので、係合部１１Ｚからの反力は、移動方向（矢印ＤＩ）と同じ方向へ、換言すれば送風装置カバー２Ｚを引き上げるように働く。そうすると、作業者は、ＤＩの方向へ送風装置カバー２Ｚを移動させて送風装置本体１０Ｚに取り付ける過程において、手部区間では移動させるために押す力が必要となるが、屈曲部を挟み腕部区間になると逆に引っ張られる力となるので、急激な力の変化が生じてしまう。（Ａ）の矢印ＰＣは、かかる急激な力の変化を示している。
【００３２】
このような従来の取付具２０Ｚでは、送風装置カバー２Ｚを移動させて送風装置本体１０Ｚに取り付ける過程において、係合部１１Ｚからの反力の方向が、挿入当初は挿入方向と逆向きであるのに対して、屈曲した部分から急激に反対の挿入方向へと変化してしまう。そうすると、作業者に急激な力の変化を与えてしまうことで、送風装置カバー２Ｚと送風装置本体１０Ｚとの間に指を挟んでしまったり、送風装置カバー２Ｚが送風装置本体１０Ｚへと思いがけない勢いで衝突してしまったりなどの問題があった。
【００３３】
次に、図２を参照し、本実施例に係る取付具２０を説明する。送風装置本体１０と送風装置カバー２を備える送風装置１は、図１で説明した送風装置である。上述したように、取付具２０は送風装置カバー２の送風装置本体１０側（裏面）に備えられ、また、係合部１１は送風装置本体１０の送風装置カバー２が取り付けられる方に備えられる。
【００３４】
取付具２０は、弾性力を発生させるばね部２３と、ばね部２３の一端から延伸し、係合部１１の第一部分１１１を摺動する第一摺動部２１と、ばね部２３の他端から延伸し、係合部１１の第二部分１１２を摺動する第二摺動部２２とを備え、第一摺動部２１と第二摺動部２２の形状は異なり、ばね部２３を挟んで非対称である。
【００３５】
より具体的には、第一摺動部２１は、ばね部２３の一端から延伸する第一腕部２１１と、第一腕部２１１からさらに延伸し、第一腕部２１１との接続部分で第二摺動部２２に接近する方へ屈曲する第一手部２１２とを有し、第二摺動部２２は、ばね部２３の他端から延伸する第二腕部２２１と、第二腕部２２１からさらに延伸し、第二腕部２２１との接続部分で第一摺動部２１に接近する方へ屈曲する第二手部２２２とを有し、第一腕部２１１と第二腕部２２１の長さが相違し、第一手部２１２と第二手部２２２の長さも相違する。
【００３６】
図３の（Ａ）および（Ｂ）は素材が線材の取付具２０を、（Ｃ）および（Ｄ）は素材が板材の取付具２０’を示している。いずれであっても、取付具２０／２０’は、弾性力を発生させるばね部２３／２３’と、ばね部２３／２３’の一端から延伸し、係合部１１の第一部分１１１を摺動する第一摺動部２１／２１’と、ばね部２３／２３’の他端から延伸し、係合部１１の第二部分１１２を摺動する第二摺動部２２／２２’とを備え、第一摺動部２１／２１’と第二摺動部２２／２２’の形状は異なり、ばね部２３／２３’を挟んで非対称である。線材の取付具２０の場合、ばね部２３はねじりコイルばねで形成され、板材の取付具２０’の場合、ばね部２３’は板ばねで形成されている。本実施例では、線材・板材は金属製であるが、これに限定されず、同等の弾性力を発生する素材であればよい。
【００３７】
図４を参照して、送風装置カバー２を送風装置本体１０に取り付ける工程を説明する。なお、以下は、取付具の素材は線材として説明する。送風装置カバー２を送風装置本体１０に取り付けようとする際、まず作業者は、取付具２０の第一摺動部２１と第二摺動部２２を手で挟むなどして、ばね部であるコイル部２３の弾性力に抗して第一端部２１３と第二端部２２３の距離を狭めて、係合部１１の第一部分１１１と第二部分１１２の間に挿入する。そして、挿入後、作業者は取付具２０から手を放す。そうすると、第一手部２１２と第二手部２２２はコイル部２３の弾性力により互いに外側へ広がろうとするので、第一手部２１２と第一部分１１１および第二手部２２２と第二部分１１２が係合することとなる。（Ａ）は、この状態を示している。
【００３８】
次に作業者は、第一手部２１２と第一部分１１１および第二手部２２２と第二部分１１２が係合した状態で、送風装置カバー２を送風装置本体１０の方へ（矢印ＤＩの方へ）、さらに取付具２０を係合部１１へ押し込むように摺動させながら移動させる。両手部が両部分に係合している手部区間は、第二手部２２２が第一手部２１２より短いので、第二手部２２２と第二腕部２２１との間の屈曲部が第二部分に係合した時に終了する。
【００３９】
さらに、第二手部２２２と第二腕部２２１との間の屈曲部が第二部分１１２を通り過ぎた場合、第二腕部２２１と第二部分１１２とが係合する。この場合、第二摺動部２２側では第二腕部２２１と第二部分１１２とが係合する一方で、第一摺動部２１側ではまだ第一手部２１２と第一部分１１１とが係合している。即ち、従来の取付具にはなかった、手部および腕部が同時に係合部に係合し、摺動する区間が生ずることとなる（以下、手部腕部区間と呼ぶ）。（Ｂ）は、この状態を示している。
【００４０】
さらに作業者が、送風装置カバー２を矢印ＤＩの方向へ移動させると、第一手部２１２と第一腕部２１１との間の屈曲部が第一部分１１１を通り過ぎ、第一腕部２１１と第一部分１１１とが係合し、両腕部が係合部に係合する腕部区間が開始する。（Ｃ）は、この状態を示している。
【００４１】
そして、さらに送風装置カバー２をＤＩ方向へ移動させると、最終的な取付固定位置に到達する。この場合、取付具２０はコイル部２３の弾性力で大きく摺動部が両側に拡げられ、コイル部２３に近いところで係合部が係合しているので、コイル部２３の弾性力により送風装置カバー２を送風装置本体１０にしっかりと固定する。（Ｄ）は、この状態を示している。
【００４２】
図５を参照し、送風装置１において、取付具２０や取付構造５がどのように機能するのか、送風装置カバー２を送風装置本体１０に取り付ける過程において、コイルばね２３によって発生する力の方向と大きさがどのようになっているかについて説明する。手部区間における係合部１１から反力は、従来の取付具と同様である。即ち、この反力は、移動方向（矢印ＤＩ）とは逆の方向へ、換言すれば送風装置カバー２を下へ押し戻すように働く。従って、作業者は、ＤＩの方向へ送風装置カバー２を移動させて送風装置本体１０に取り付けようとすると、この反力に対抗するようにして移動させるための押す力が必要となる。また、この反力は、両手部が両部分に係合する場所が両手部の端部（２１３、２２３）の方からコイル部２３の方へ摺動するにつれて、大きくなる。
【００４３】
しかし、手部区間から（Ｂ）に示す手部腕部区間に移った時、第二摺動部２２の方で逆ハの字を形成する第二腕部２２１が第二部分と係合することで、第二摺動部２２の方は送風装置カバー２を引っ張る力に変わる。一方、第一摺動部２１ではまだハの字を形成する第一手部２１が係合しているので押す力が必要である。従って、第一手部２１２からの押す力と第二腕部２２１からの引っ張られる力が相殺し、手部腕部区間に移った時に矢印ＰＣ１分だけ力の変化が生ずる。
【００４４】
手部腕部区間の最初に力の変化が生じた後、作業者が取付具２０をさらに押し込んでいくと、腕部区間に移るまでは押す力は増加する。しかし、その増加割合は、手部区間に比べると小さい。
【００４５】
そして、さらに作業者が取付具２０をさらに押し込んでいくと、第一手部２１１と第一腕部２１２が接続された屈曲した部分に差し掛かり、両腕部が係合し摺動する腕部区間に移る。腕部区間における係合部１１から反力は、従来の取付具と同様である。即ち、この反力は、移動方向（矢印ＤＩ）と同じ方向へ、換言すれば送風装置カバー２を上へ引っ張り上げるように働く。従って、第一摺動部２１の屈曲した部分を境に両方の摺動部が引っ張り上げる力になるので、腕部区間に移った時に矢印ＰＣ２分だけ力の変化が生ずる。そして、腕部区間での力の変化は、上述した従来の取付具と同じである。
【００４６】
上述したように、従来の取付具では手部区間から腕部区間への変化が第一摺動部２１Ｚと第二摺動部２２Ｚとで同時に起こり、その時の力の変化が大きく、作業者に急激な力の変化を感じさせていた。しかし、本発明に係る取付具２０では、一方の手部と他方の腕部が同時に係合部１１に係る手部腕部区間が生じる構成とすることで、力の変化が生じる時を２回にし、一回の力の変化を小さくしている。その結果、送風装置カバー２を送風装置本体１０に取り付ける過程において、作業者に力の変化を与えるポイントが２つに分散することで、急激な力の変化を与えることを防止することができる。
【００４７】
なお、第一腕部２１１と第二手部２２２の長さがほぼ同一であり、第二腕部２２１と第一手部２１２の長さがほぼ同一であってもよい。コイル部２３から第一端部２１３および第二端部２２３までの距離がほぼ同じになり、作業者がスリットになっている係合部１１に挿入し易くなる。
【００４８】
また、本実施例では、腕部と手部の接続部分は屈曲していたが、屈曲に比し曲率の小さい湾曲を有していてもよい。屈曲比べ湾曲している方が、力の変化が緩やかになる。
【００４９】
＜第一実施例における変形例＞
図６と図７を参照して、送風装置カバー２を送風装置本体１０に取り付ける工程、および送風装置カバー２を送風装置本体１０に取り付ける過程において、コイルばね２３によって発生する力の方向と大きさがどのようになっているかについて説明する。なお、重複記載を避けるために、第一実施例と異なる点を中心に述べる。図６の（Ａ）〜（Ｄ）は、図４の（Ａ）〜（Ｄ）と同じ状態を示す。
【００５０】
本変形例と第一実施例との違いは、コイル部２３を送風装置カバー２に取り付けた位置と係合部の位置との関係である。即ち、第一実施例では、コイル部２３を送風装置カバー２に取り付けたコイル取付部４から、第一部分１１１および第二部分１１２までの距離が等しいが、本変形例では、コイル取付部４Ａは第二部分１１２の真下方向に位置するので、コイル取付部４Ａから第一部分１１１および第二部分１１２までの距離が異なる。
【００５１】
本変形例では、コイル取付部４Ａは第二部分１１２の真下方向に位置するが、これに限定されず、第一腕部２１１の長さが第二腕部２２１の長さより短い場合に、コイル部２３と第一部分１１１との距離が、コイル部２３と第二部分１１２との距離より長ければよい。もちろん、第一腕部２１１の長さが第二腕部２２１の長さより長い場合に、コイル部２３と第一部分１１１との距離が、コイル部２３と第二部分１１２との距離より短ければよい。即ち、コイル部２３を送風装置カバー２に取り付けたコイル取付部４は、第一部分１１１および第二部分１１２から距離が等しい中心線上に位置しない。
【００５２】
また、取付具２０が手部腕部区間にある場合に、係合部１１に係合する第一手部２１２と第二腕部２２１とがほぼ平行をなすように、係合部１１が構成されている。即ち、係合部１１のスリット幅（第一部分１１１と第二部分１１２の距離）が、取付具２０が手部腕部区間にある時に平行四辺形に近い形となるので、その平行四辺形の高さにほぼ等しいこととなる。
【００５３】
第一実施例では、手部腕部区間において押す力の変化がある。また、そのために、手部区間から手部腕部区間に移る時の力の変化ＰＣ１と、手部腕部区間から腕部区間に移る時の力の変化ＰＣ２の和が大きくなる。しかし、本変形例では、第一手部２１２と第二腕部２２１とがほぼ平行となることで、手部腕部区間において押す力に大きな変化が生じない（本明細書では摺動部と係合部との摩擦は考えない）。また、そのために、手部区間から手部腕部区間に移る時の力の変化ＰＣ１と、手部腕部区間から腕部区間に移る時の力の変化ＰＣ２の和が第一実施例に比し小さくなる。また、押す力の変化が生じない手部腕部区間の長さが長くなり、作業者は安定した反力を感じることができる。なお、第一手部と第二腕部とがほぼ平行から若干外れても、押す力に大きな変化は生じない。
【００５４】
本変形例に係る発明は、送風装置カバー２である一の部材と、送風装置本体１０である他の部材を取り付ける取付構造５であって、その一の部材に備えられた取付具２０とその他の部材に備えられた係合部１１とを備え、第一手部２１２が係合部１１の第一部分１１１と係合し、かつ第二腕部２２１が係合部１１の第二部分１１２と係合している時、第一手部２１２と第二腕部２２１とがほぼ平行である。これによれば、部材を装置本体に取り付ける過程において、作業者に力の変化を与えるポイントが２つに分散すると共に、その２つのポイントの間に作業者に力の変化を感じさせないようにすることで、作業者に急激な力の変化を与えることを防止する安定した取付構造を提供することができる。
【００５５】
また、本変形例に係る発明は、送風装置カバー２である一の部材と、送風装置本体１０である他の部材を取り付ける取付構造５であって、その一の部材に備えられた取付具２０と、その他の部材に備えられた係合部１１とを備え、第一腕部２１１の長さは第二腕部２２１の長さより短く、コイル部２３と第一部分１１１との距離は、コイル部２３と第二部分１１２との距離より長いことに特徴がある取付構造でもある。これによれば、長い方の腕が係合部の直下に近づくことで２つの力の変化ポイントの間の距離を長くすることができるため、短い時間で変化が繰り返されることが防げるので安定した取付作業が可能となる。
【００５６】
また、このような取付構造５が複数からなる取付構造であって、その複数の取付構造に含まれる、ある一対の取付構造において、一の取付構造と他の取付構造が対向するように配置され、一の取付構造における第一摺動部と他の取付構造における第一摺動部とが対向するように同じ向きに配置される取付構造であってもよい。例えば、送風装置は、取付構造５を送風装置の両サイドに備えて、取付具が同じ向きに対向して備えられる。これによれば、作業者は、バランス良く、部材を装置本体に取り付けることができる取付構造を提供することができる。
【００５７】
＜第二実施例＞
図８を参照して、本実施例に係る取付具２０Ｂ、および送風装置カバー２Ｂを送風装置本体１０Ｂに取り付ける過程において、コイルばね２３Ｂによって発生する力の方向と大きさがどのようになっているかについて説明する。なお、重複記載を避けるために、第一実施例と異なる点を中心に述べる。送風装置本体１０Ｂと送風装置カバー２Ｂを備える送風装置１Ｂは、図１で説明した送風装置である。
【００５８】
取付具２０Ｂは、弾性力を発生させるコイル部２３Ｂと、コイル部２３Ｂの一端から延伸し、係合部１１Ｂの第一部分１１１Ｂを摺動する第一摺動部２１Ｂと、コイル部２３Ｂの他端から延伸し、係合部１１Ｂの第二部分１１２Ｂを摺動する第二摺動部２２Ｂとを備え、第一摺動部２１Ｂと第二摺動部２２Ｂの形状は異なり、コイル部２３Ｂを挟んで非対称である。
【００５９】
より具体的には、第一摺動部２１Ｂは、コイル部２３Ｂの一端から延伸する第一腕部２１１Ｂと、第一腕部２１１Ｂからさらに延伸し、第一腕部２１１Ｂとの接続部分で第二摺動部２２Ｂに接近する方へ屈曲する第一手部２１２Ｂと、を有し、第二摺動部２２Ｂは直線状であり、屈曲や湾曲はしていない。
【００６０】
また、本実施例に係る取付構造５Ｂは、送風装置カバー２Ｂである一の部材と、送風装置本体１０Ｂである他の部材を取り付ける取付構造であって、その一の部材に備えられた取付具２０Ｂと、他の部材に備えられた係合部１１Ｂと、を備え、第一手部２１２Ｂが係合部１１Ｂの第一部分１１１Ｂと係合し、かつ第二摺動部２２Ｂが係合部１１Ｂの第二部分１１２Ｂと係合している時、第一手部２１２Ｂと第二摺動部２２Ｂとがほぼ平行である。
【００６１】
本実施例と第一実施例との違いは、第一実施例では第二摺動部２２は屈曲して手部と腕部を有していたが、本実施例では第二摺動部２２Ｂは屈曲せず直線状である。従って、取付構造５Ｂにおいては、作業者に力の変化を与えるポイントが１つであり、力の変化を与えるポイントの数では、従来の取付具２０Ｚと同じである。
【００６２】
また、コイル部２３Ｂを送風装置カバー２Ｂに取り付けた位置４Ｂと係合部１１Ｂの位置との関係も異なる。即ち、第一実施例では、コイル部２３を送風装置カバー２に取り付けたコイル取付部４は、第一部分１１１および第二部分１１２から距離が等しい中心線上に位置するが、本実施例では、コイル取付部４Ｂは第二部分１１２Ｂの真下方向に位置する。
【００６３】
また、取付具２０Ｂが、第一手部２１２Ｂが第一部分１１１Ｂに係合する手部区間にある場合に、係合部１１Ｂに係合する第一手部２１２Ｂと第二摺動部２２Ｂとがほぼ平行をなすように、係合部１１Ｂが構成されている。即ち、係合部１１Ｂのスリット幅（第一部分１１１Ｂと第二部分１１２Ｂの距離）が、取付具２０Ｂが手部腕部区間にある時に２本の平行線の距離にほぼ等しいこととなる。
【００６４】
第一実施例では、手部区間および手部腕部区間において押す力の変化があり、ＤＩ方向に移動させるにつれて押す力は増加する。しかし、本実施例では、手部区間において押す力の変化が生じない。即ち、取付具２０Ｂの端部（２１３Ｂ、２２３Ｂ）の方を係合部１１Ｂに係合させてから、第一腕部２１１Ｂと第一手部２１２Ｂの接続部分である屈曲した部分まで、押す力は一定であり、摩擦力および送風装置カバーに働く重力を考慮しないと、この区間における作業者が押す力はゼロであると言える。
【００６５】
また、従来の取付具では、両方の摺動部の屈曲部が係合部を同時に通るので、押す力から引っ張られる力へと変化が大きかったが、本実施例では、一方の摺動部の屈曲部しか係合部を通らないので、手部区間から腕部区間に移る時の力の変化ＰＣ２が小さくなる。また、手部区間では押す力の変化が生じないので、力が安定した区間の長さが長くなり、作業者は安定した反力を感じることができる。
【００６６】
従って、かかる構成によれば、送風装置カバー２Ｂを送風装置本体１０Ｂに取り付ける過程において、力の変化を小さくすることで、作業者に急激な力の変化を与えることを防止することができる。また、摺動部を係合させた時から力の変化が生じるまでの間に作業者に力の変化を感じさせないようにすることで、作業者に急激な力の変化を与えることを防止することができる。
【００６７】
＜第三実施例＞
本実施例では、第一実施例の取付構造の特殊な場合を示す。第一実施例と異なる点を中心に記載する。第一実施例の取付構造５における取付具２０は、第一摺動部２１と第二摺動部２２が異なる形状であり、第一腕部２１１と第二腕部２２１の長さが異なるものであった。本実施例に係る取付構造は、第一腕部、第一手部、第二腕部、および第二手部の長さがすべてほぼ等しく、かつ、コイル部と第一部分との距離は、コイル部と第二部分との距離と等しくないところに特徴がある取付構造である。
即ち、各腕部や各手部が同じ形状・長さを呈し、両摺動部が同じ形状であっても、コイル部を送風装置カバーに取り付けたコイル取付部が、第一部分および第二部分から距離が等しい中心線上に位置しない場合、取り付ける過程において、作業者に力の急な変化を与えるポイントを２つに分散することができる。
【００６８】
従って、本実施例に係る発明は、一の部材と他の部材を取り付ける取付構造であって、一の部材に備えられた取付具と、他の部材に備えられた係合部と、を備え、その取付具は、弾性力を発生させるコイル部と、そのコイル部の一端から延伸し、係合部の第一部分を摺動する第一摺動部と、コイル部の他端から延伸し、係合部の第二部分を摺動する第二摺動部と、を備え、第一摺動部は、コイル部の一端から延伸する第一腕部と、第一腕部からさらに延伸し、第一腕部との接続部分で第二摺動部に接近する方へ屈曲または湾曲する第一手部と、を有し、第二摺動部は、コイル部の他端から延伸する第二腕部と、第二腕部からさらに延伸し、第二腕部との接続部分で第一摺動部に接近する方へ屈曲または湾曲する第二手部と、を有し、第一腕部、第一手部、第二腕部、および第二手部の長さがすべてほぼ等しく、コイル部と第一部分との距離は、コイル部と第二部分との距離と等しくない取付構造である。これによれば、両摺動部の形状が同じであっても、係合部とコイル部の位置関係により、部材を装置本体に取り付ける過程において、作業者に力の急な変化を与えるポイントを２つに分散することができる。
【００６９】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【００７０】
例えば、少なくとも１つの摺動部は、他の摺動部に接近する方へ屈曲または湾曲する少なくとも一つの変局点を有すればよく、変局点は複数あってもよい。これによれば、装置本体に取り付けられる部材を取り付ける過程において、作業者に急激な力の変化を与えることを防止する取付具、取付構造およびその取付具、取付構造を備えた装置を提供することができる。
【００７１】
また、本発明に係る取付具および取付構造は、実施例で記載した送風装置に使用されるだけでなく、例えば、照明装置本体に係合部、その照明装置本体に取り付ける照明カバーに取付具を備えることで、照明装置に使用することができる。
【符号の説明】
【００７２】
１      送風装置
２      送風装置カバー
３      カバー吸込みスリット
４      コイル取付部
５      取付構造
１０      送風装置本体
１１    係合部（係合スリット）
１１１  第一部分
１１２  第二部分
１２    ファンユニット
１３    吸込口
１４    排出口
２０    取付具
２１    第一摺動部
２１１  第一腕部
２１２  第一手部
２１３  第一端部
２２    第二摺動部
２２１  第二腕部
２２２  第二手部
２２３  第二端部
２３    ばね部（コイル部）
Ｃ      天井面
【図１】
2014152783.tif 000003
【図２】
2014152783.tif 000004
【図３】
2014152783.tif 000005
【図４】
2014152783.tif 000006
【図５】
2014152783.tif 000007
【図６】
2014152783.tif 000008
【図７】
2014152783.tif 000009
【図８】
2014152783.tif 000010
【図９】
2014152783.tif 000011